【事件の表示】
　平成　５年特許願第　５２６５９号「情報処理装置」拒絶査定不服審判事件〔平成　６年　９月２２日出願公開、特開平　６−２６６９０１〕について、次のとおり審決する。
【結　論】
　本件審判の請求は、成り立たない。
【理　由】
１．手続の経緯・本願発明
　本願は、平成５年３月１２日の出願であって、平成１３年５月１５日付けで拒絶査定がされ、同年６月２２日付けで審判請求がなされるとともに、同年７月２３日付けで手続補正がなされたものであって、その請求項１に係る発明は、特許請求の範囲の請求項１に記載された次のとおりのものと認める。（以下、「本願発明」という。）。
「【請求項１】表示画面への手書き文字の入力を受け付ける情報処理装置であって、前記表示画面への入力座標の変化と相関する値を検出する外乱検知手段と、前記外乱検知手段が検出した値が規定値を超えた場合に、当該値を小さくするように前記入力座標を補正する補正手段と、を備えることを特徴とする情報処理装置。」
　
２．引用例
  原審の拒絶の理由に引用された、特開平２−１８６４１８号公報（以下、「引用例１」という。）には、図面と共に次の事項が記載されている。
ア．「本発明は、手書きの文字や図形等を情報処理装置に入力するための位置検出装置に関する。」（１頁左下欄１８〜末行）
　
イ．「本発明は上記のような実情に鑑みてなされたもので、高速の入力を可能としながらも静電気等の外来ノイズによる誤検出は確実に除去することのできる位置検出装置を提供することを目的とする。」（２頁右上欄９〜１２行）
　
ウ．「第１図はその回路構成を示すもので、１はタブレット板であり、それぞれ複数のＸ電極２とＹ電極３とがマトリクス状に配設されて構成される。Ｘ電極２はＸ電極駆動回路４により、Ｙ電極３はＹ電極駆動回路５によりそれぞれ各電極に順番に電圧が印加される。Ｘ電極駆動回路４及びＹ電極駆動回路５は共にタブレットコントローラ６により駆動制御される。タブレットコントローラ６はまた、入力用ペン７をも駆動制御する。この入力用ベン７は、内部に電極を備え、タブレット板１上で筆記動作により座標を指示することでＸ電極２、Ｙ電極３に印加された電圧が静電誘導によって上記内部電極に電圧信号として取込まれる。取込まれた電圧信号はタブレットコントローラ６に送られ、ここでタブレット板１における指示座標のＸ座標、Ｙ座標に変換される。タブレットコントローラ６は、ホストインタフェイス８を介して情報処理装置９から送られてくる制御コマンドに従って上記のような制御を行なう一方、得た座標データをホストインタフェイス８を介して情報処理装置９に送出する。情報処理装置９は、例えばＣＡＤシステムやパーソナルコンピュータからなるもので、タブレットコントローラ６からホストインタフェイス８を介して送られてきた座標データを用いて処理を行なう。」（２頁左下欄６行〜右下欄１０行）
　
エ．「上記のような構成にあって、位置検出を行なう場合の動作について第２図を用いて説明する。同図はタブレットコントローラ６によって実行される動作の処理内容を示すもので、動作が開始されると、まずステップＳ１０に示す入力用ペン７からの電圧信号のサンプリングを行なう。これは、通常、１２８〜２５６回／秒程度の回数、一定時間間隔で行なわれるもので、サンプリングによって得た電圧信号は続くステップＳｌｌで変換され、タブレット板１上のＸ座標データ及びＹ座標データからなる座標データとして検出される。検出された座標データは、次のステップＳ１２において、前回の処理によって得られた許容入力範囲内に位置するものであるか否か判断される。もし許容入力範囲外のものであると判断された場合は、その座標データは静電気等のノイズによる誤検出によるものであると見なされ、ここから再び上記ステップＳ１０に戻り、動作をやり直す。また、許容入力範囲内に位置するものであると判断された場合は、その座標データは有効となるのでそのまま情報処理装置９に送られる一方、続いてステップＳ１３に進み、前回の座標データとの距離である移動量が計算される。これは、前回の座標データＰｎ-１の座標を（Ｘn-1，Ｙn-1）、今回の座標データＰnの座標（Ｘn、Ｙn）とした場合に、入力用ベン７の移動量ｄｎが
ｄn＝√（Ｘn−Ｘn-1）２　＋（Ｙn、−Ｙn-1）２・・・（１）
なる式で求められるものである。求められた移動量に基づいて、続くステップＳ１４で次回の位置検出の許容入力範囲が計算され、設定される。この許容入力範囲は、当然のことながら移動量が多ければ大きく、少なければ小さくなるものである。こうして次回の許容入力範囲が設定された時点で、上記ステップＳ１０に進み、以下、同様の処理を順次繰返していく。」（２頁右下欄１１行〜３頁右上欄６行）
　
　引用例１には、上記アないしウから
（ａ）手書きの文字や図形等を情報処理装置に入力するための位置検出装置であって、タブレットコントローラ６を備える位置検出装置、
（ｂ）タブレットコントローラ６によって実行される動作として、動作が開始されると、ステップＳ１０に示す入力用ペン７からの電圧信号のサンプリングを行い、サンプリングによって得た電圧信号は続くステップＳｌｌで変換され、タブレット板１上のＸ座標データ及びＹ座標データからなる座標データとして検出され、検出された座標データは、次のステップＳ１２において、前回の処理によって得られた許容入力範囲内に位置するものであるか否か判断され、もし許容入力範囲外のものであると判断された場合は、その座標データは静電気等のノイズによる誤検出によるものであると見なされ、ここから再び上記ステップＳ１０に戻り、動作をやり直し、許容入力範囲内に位置するものであると判断された場合は、その座標データは有効となるのでそのまま情報処理装置９に送られる動作が記載されているといえる。
　
３．対比
　そこで、本願発明と引用例１に記載された発明（以下、「引用例１発明」という。）とを比較すると、
　上述２．（ａ）、（ｂ）から、引用例１発明の「位置検出装置」は、手書きの文字の入力の座標位置を検出して該入力の座標位置をタブレットコントローラ６の情報処理により有効な座標データから決定する装置であり、手書き文字の入力を表示画面で受け付けることを除いて、本願発明の「手書き文字の入力を受け付ける情報処理装置」に相当する。
　上述の２．（ｂ）のタブレットコントローラ６の「許容入力範囲外のものであると判断された場合は、その座標データは静電気等のノイズによる誤検出によるものであると見なされ、ここから再び上記ステップＳ１０に戻り、動作をやり直し、許容入力範囲内に位置するものであると判断された場合は、その座標データは有効となるのでそのまま情報処理装置９に送られる動作」は、上述の２．イの「誤検出は確実に除去する」ことから、許容入力範囲外の座標データを除去する、すなわち許容入力範囲外の座標データを許容入力範囲の値の最低値とすることと同じであり、また、入力された座標データのうち誤検出を除き有効な座標データを出力するタブレットコントローラ６の動作は入力座標を補正する動作であることから、引用例１発明のタブレットコントローラは、本願発明の「検出した値が規定値を超えた場合に、当該値を小さくする補正手段」に相当する。
　したがって、両者は
「手書き文字の入力を受け付ける情報処理装置であって、検出した値が規定値を超えた場合に、当該値を小さくするように前記入力座標を補正する補正手段を備えることを特徴とする情報処理装置。」
で一致し、以下の点において相違する。
　
（相違点１）
　本願発明は、手書き文字の入力を表示画面で受け付けるのに対し、引用例１発明は、タブレット板１で手書き文字の入力を受け付けている点。
　
（相違点２）
　本願発明は、入力座標の変化と相関する値を検出する外乱検知手段を設け、補正手段は外乱検知手段が検出した値が規定値を超えた場合に、当該値を小さくするように前記入力座標を補正するのに対し、引用例１発明は、外乱検知手段を設けておらず、タブレットコントローラは該外乱検知手段の検出した値を用いていない点。
　
４．当審の判断
（１）相違点１について
　手書き文字入力装置において、入力部と表示部とを一体化して用いることは周知であり（特開平４−３４７７２１号公報（【０００８】、図１）、特開平４−２８３８１９号公報（【０００２】、図５））、引用例１発明のタブレット板に、入力部と表示部とを一体化して用いることは当業者が容易に実施し得るものと認められる。
　
（２）相違点２について
　データ入力装置に入力データの位置変化と相関する値を検出する外乱検知手段を設け、補正手段が外乱検知手段が検出した値を小さくするように入力データを補正することは周知であり（特開平４−３２９７７３号公報（図４、６）、特開昭６３−２３３４２２号公報）、引用例１発明の位置検出装置に入力データの位置変化と相関する値を検出する外乱検知手段を設け、タブレットコントローラが外乱検知手段が検出した値を小さくするように座標データを補正することは当業者が容易に想到し得るものと認められる。
　また、補正の精度を考慮し、情報処理の負荷を減らすため閾値を設けることは常套手段であり、外乱検知手段が検出した値が適正な規定値を超えた場合に補正を行うようにすることは当業者が適宜実施する設計的事項と認められる。
　
５．むすび
　以上のとおり、本願発明は、引用例１発明及び周知技術に基づいて当業者が容易に発明をすることができたものであるから、他の請求項に係る発明について検討するまでもなく、本願は特許法第２９条第２項の規定により特許を受けることができない。
　よって、結論のとおり審決する。